(57)【要約】【課題】着用感に優れ、身体的にハンディキャップを有する者や介護者でも着脱が容易に行える伸縮性を有する肌着を提供できるようにする。【解決手段】フライス編み機により、筒状に編成された胴部を有する肌着であって、編み出し部分から編み終わり部分にかけて、綿糸等の吸湿性を有する編糸が給糸されて編成された複数コースおきにナイロン糸をカバーリング糸とする伸縮弾性糸がリブ編みの裏目部分に給糸されて筒状の胴部を形成するようにした。【選択図】図２
2010133057.tif 000002
【特許請求の範囲】
【請求項１】
フライス編み機により、筒状に編成された胴部を有する肌着であって、編み出し部分から編み終わり部分にかけて、綿糸等の吸湿性を有する編糸が給糸されて編成された複数コースおきにナイロン糸をカバーリング糸とする伸縮弾性糸が給糸されてリブ編みの筒状の胴部が形成されていることを特徴とする伸縮性を有する肌着。
【請求項２】
フライス編み機に少なくとも９本のヤーンフィーダが備えられており、そのうちの１本のヤーンフィーダからナイロン糸をカバーリング糸とする伸縮弾性糸が給糸され、８本のヤーンフィーダから綿糸等の吸湿性を有する編糸が給糸されることにより、編地の８コースおきに伸縮弾性糸を設けてあることを特徴とする請求項１に記載の伸縮性を有する肌着。
【請求項３】
肌着が医療用患者若しくは被介護者が着用する肌着であることを特徴とする請求項１または請求項２に記載の伸縮性を有する肌着。
【発明の詳細な説明】
【技術分野】
【０００１】
本発明は、特にリハビリ等の機能回復運動をする者や、入院患者等を含む被介護者が着用するために大きく伸縮させることができる伸縮性を有する肌着に関するものである。
【背景技術】
【０００２】
一般に、下着は、伸縮性のある編地を用いた衣料は肌に密着して、体温を保温する役目と、肌から放出される水分および皮膚の老化物等の排出物を吸収して肌表面を衛生的に保つ役目と中衣の摩擦による肌の損傷を防ぐ役目で着用される。
一方、機能回復運動をする者や介護における被介護者等は身体の動作等にハンディキャップがあり、筒状の下着では着脱するのが困難になる。
【０００３】
上記問題に対処するために、身体的にハンディキャップを有する者が着用する下着としては特許文献１に示すように開口部を紐で結ぶ前開きの寝巻き形式の下着や、特許文献２に示すように前後二枚あわせにした素材の周縁部分の適宜部分を紐で結ぶ形式の下着が知られている。
ところが、こうした前開きの下着の場合、紐の結び目が嵩高くなり、着用感が悪いうえ、結んだ紐がほどけ易く、すぐにはだけてしまうという問題があった。
【特許文献１】特開平１０−１３０９１７号公報
【特許文献２】特開２００７−１５４３２５号公報
【発明の開示】
【発明が解決しようとする課題】
【０００４】
本発明は、上記問題点に鑑み提案されたもので、着用感に優れ、身体的にハンディキャップを有する者や介護者でも着脱が容易に行える伸縮性を有する肌着を提供できるようにすることを目的とするものである。
【課題を解決するための手段】
【０００５】
上記目的を達成するために、本発明に係る伸縮性を有する肌着は、フライス編み機により、筒状に編成された胴部を有する肌着であって、編み出し部分から編み終わり部分にかけて、綿糸等の吸湿性を有する編糸が給糸されて編成された複数コースおきにナイロン糸をカバーリング糸とする伸縮弾性糸がリブ編みの裏目部分に給糸されて筒状の胴部が形成されていることを最も主要な特徴とするものである。
【０００６】
また、本発明にかかる伸縮性を有する肌着は、フライス編み機に少なくとも９本のヤーンフィーダが備えられており、そのうちの１本のヤーンフィーダからナイロン糸をカバーリング糸とする伸縮弾性糸が給糸され、８本のヤーンフィーダから綿糸等の吸湿性を有する編糸が給糸されることにより、編地の８コースおきに伸縮弾性糸を設けてあることや、  肌着が医療用患者若しくは被介護者が着用する肌着であることも特徴とするものである。
【発明の効果】
【０００７】
本発明に係る伸縮性を有する肌着によれば、筒状の胴部を編成するにあたり、その編み出し部分から編み終わり部分にかけて、綿糸等の吸湿性を有する編糸が給糸されて編成された複数コースおきにナイロン糸をカバーリング糸とする伸縮弾性糸がリブ編みの裏目部分に給糸されて筒状の胴部を形成するようにしてある。
これにより、綿糸等の吸湿性を有する編糸が給糸されて編成された部分で肌から放出される水分および皮膚の老化物等の排出物を吸収して肌表面を衛生的に保つとともに、ナイロン糸をカバーリング糸とする伸縮弾性糸が給糸されて編成されたリブ編み部分で伸縮性が確保されるので、従来の前開きの下着の場合のような紐の結び目が嵩高くなり、着用感が悪いうえ、結んだ紐がほどけ易く、すぐにはだけてしまうという問題をなくして、快適な着用感を有する伸縮性を有する肌着を提供することができるという利点がある。
【発明を実施するための最良の形態】
【０００８】
本発明にかかる伸縮性を有する肌着では、フライス編み機に少なくとも９本のヤーンフィーダが備えられており、そのうちの１本のヤーンフィーダからナイロン糸をカバーリング糸とする伸縮弾性糸が給糸され、８本のヤーンフィーダから綿糸等の吸湿性を有する編糸が給糸されることにより、編地の８コースおきに伸縮弾性糸を設けることが望ましい。
また、本発明にかかる伸縮性を有する肌着を、医療用患者若しくは被介護者が着用する肌着にすることが望ましい。
【実施例】
【０００９】
以下、本発明にかかる伸縮性を有する肌着の好ましい実施の形態を図面に基づいて説明する。
図１は、フライス編み機である丸編み機により、編成された伸縮性を有する肌着１であって、筒状に編成された胴部２と、左右のアームホール部分３・３に縫着された袖筒部分４・４とからなる肌着の正面図である。
この肌着１を編成する丸編み機の詳細な図示は省略したが、概略を示す図２で概要を説明すると、円筒に形成されたシリンダの針溝にシリンダ針５を昇降摺動可能に収納し、このシリンダ針５に直交するダイヤル針６を進退摺動可能に設けるとともに、両編み針５・６に形成されたバットを操作するカム群を備えた編針駆動手段と、編針駆動手段と前記両編み針５・６の進退駆動に連動して編糸を給糸する複数（本例では９個）のヤーンフィーダを備えてなる丸編み機を使用している。
【００１０】
上記の丸編み機を使用して発明にかかる伸縮性を有する肌着を編成する手順を次に説明する。
先ず、上記丸編み機の９個のヤーンフィーダのうちの第１ヤーンフィーダ〜第８ヤーンフィーダからは綿糸のコーマ糸４０番手の単糸が給糸され、第９ヤーンフィーダからは１４０デニールのポリウレタンのコアを７０デニールのナイロンフィラメント糸でカバーリングしたカバーリング弾性糸、いわゆるＦＴＹが給糸されるようになっている（図２参照）。
【００１１】
そして、図１に示す伸縮性を有する肌着１の胴部２は、下端部の着用口部分７から編みだされ、えりぐり側部分に向けて編成されている。
この編み出しにあたっては、第１ヤーンフィーダからの綿糸１０がシリンダ針５とダイヤル針６とにわたってジグザグに給糸されて編み出された後、後続の第２ヤーンフィーダ乃至第８ヤーンフィーダでそれぞれ綿糸１０がシリンダ針５とダイヤル針６とにわたってジグザグに給糸されることにより、シリンダ針５で形成される表目８とダイヤル針６で形成される裏目９とが交互にできる１×１のリブ編み（フライス編）が８コース形成される。
【００１２】
然る後、第９ヤーンフィーダからの伸縮弾性糸１１が適宜の張力が付与された状態でダイヤル針６に給糸される。
第９ヤーンフィーダからダイヤル針６に伸縮弾性糸１１が適宜の張力が付与された状態で給糸されて、ダイヤル針６には裏目９のループが形成される。
このダイヤル針６に形成された伸縮弾性糸１１による裏目９のループは、次に給糸される第１ヤーンフィーダからシリンダ針５とダイヤル針６とにわたってジグザグに給糸された綿糸１０で形成される裏目９のループに移される。
【００１３】
このように、第９ヤーンフィーダからの伸縮弾性糸１１は筒状の編地（胴部２）の内面側で裏目９を形成するダイヤル針６でループが形成されることから、当該伸縮弾性糸１１が筒状の編地の表面に現れにくく、筒状編地の外観を阻害することはない。
以後、こうした第１ヤーンフィーダから第９ヤーンフィーダの給糸が繰り返されることにより、図１に点線で示すように伸縮弾性糸１１が８コースおきに編みこまれた胴部２用の筒状の編地が形成される。
【００１４】
伸縮弾性糸１１が８コースおきに編み込まれた筒状の胴部２は上部の中央にえりぐり用の開口部１３を残した状態で、左右から縫着して肩部分１２を形成して、えりぐり用の開口部１３を形成するとともに、上部の左右側方部分を開口してアームホール部分３・３を形成する。
えりぐり用の開口部１３には解れ止めようの細幅編地１４がリンキングにより縫着され、左右のアームホール部分３・３には袖筒部分４・４が縫着されると、ここに伸縮性を有する肌着１が完成する。
【００１５】
斯くして形成された伸縮性を有する肌着１は、胴部２に８コースおきに伸縮弾性糸１１が設けられていることから、この伸縮弾性糸１１の張力により肌着１が適度に身体にフィットする。
また、肌着１の着脱時には、伸縮性の高いリブ編みと伸縮弾性糸１１とがあいまって肌着１の胴部２が大きく伸びるので、身体にハンディキャップがあるような場合や、介護者が被介護者に対して行う着脱を楽に行うことができる。
【００１６】
尚、上記の実施例では、肌着１の胴部２を編成するにあたり、８コースおきに伸縮弾性糸１１を設けるようにしてあるが、こうしたものに限られず、伸縮弾性糸１１の種類や胴部２の径の大きさ、肌着１の使用目的等によって伸縮弾性糸１１の挿入間隔は任意に設定することができるのはいうまでもないことである。
また、本発明にかかる伸縮性を有する肌着１は、医療用患者若しくは被介護者が着用する肌着１に限定されるものではなく、健常者が着用することができるのは言うまでもなく、特に登山やスポーツ等、汗を多くかき、短時間に着替えをするような場合に着用するのに適している。
【００１７】
さらに、上記の実施例では、図上、肌着１の胴部２に所定の間隔で伸縮弾性糸１１を給糸するようにしてあるが、袖筒部分４・４にも上記伸縮弾性糸１１を所定間隔設けるようにすることも望ましいことである。
加えて、上記の実施例では、編地の組織をリブ編みにしてあるが、平編みはもちろんのこと、パール編みやその他の編み組織にすることもできる。
また、ヤーンフィーダの数は上記実施例の９本に限られないことは言うまでもなく、仮に８コースおきに伸縮弾性糸１１を編みこむ場合でも、第９ヤーンフィーダに限られず、いずれかの１つのヤーンフィーダから伸縮弾性糸１１を給糸すれば、８コースおきに伸縮弾性糸を編みこむことができる。
【図面の簡単な説明】
【００１８】
【図１】は本発明にかかる肌着の正面図である。
【図２】は本発明にかかる肌着のヤーンフィーダの給糸関係を示す概略図である。
【符号の説明】
【００１９】
１・・・肌着
２・・・胴部
３・・・アームホール部分
４・・・袖筒部分
５・・・シリンダ針
６・・・ダイヤル針
７・・・着用口
８・・・表目
９・・・裏目
１０・・・綿糸
１１・・・伸縮弾性糸
１２・・・肩部分
１３・・・えりぐり用の開口部
１４・・・細幅編地
【図１】
2010133057.tif 000003
【図２】
2010133057.tif 000004